(57)【要約】【課題】大部分が軸筒に一層のグリップカバーを被覆したものであって、グリップカバーが薄いと軸筒の硬度の影響を受けやすく長時間の筆記による疲労を免れ得なかった。【解決手段】筆記具の軸筒１と少なくともこの軸筒１のグリップ部分をカバーする上・下グリップカバー２、３とから構成されてなる筆記具のグリップ構造において、下グリップカバー２の硬度は上グリップカバー３の硬度と比較して小さくし、かつ少なくとも下グリップカバー２と軸筒１とを同時成形したことを特徴とする筆記具のグリップ構造。【選択図】　　　　図１
2004066560.tif 000002
【特許請求の範囲】
【請求項１】
筆記具の軸筒と、少なくともこの軸筒のグリップ部分をカバーする上・下グリップカバーとから構成されてなる筆記具のグリップ構造において、下グリップカバーの硬度を上グリップカバーの硬度と比較して小さくし、かつ少なくとも下グリップカバーと軸筒とを同時成形したことを特徴とする筆記具のグリップ構造。
【請求項２】
前記軸筒と上・下グリップカバーと組み合わせてなる請求項１記載の筆記具のグリップ構造。
【請求項３】
前記上グリップカバーの硬度は、ショアーＡ硬度で３０度以上で、他方下グリップカバーの硬度は、ショーアＡ硬度で５度以上で３０度未満である請求項１記載の筆記具のグリップ構造。
【請求項４】
前記下グリップカバーの肉厚が上グリップカバーの肉厚よりも大きい請求項１記載の筆記具のグリップ構造。
【請求項５】
前記上グリップカバーが透明または半透明であって、これらのグリップカバーを介して軸筒のグリップ部分外周の形状、模様もしくは色彩を目視することができる請求項１記載の筆記具のグリップ構造。
【請求項６】
前記軸筒のグリップ部分を規定する長手方向両端に段部を形成し、この段部間に少なくとも下グリップカバーを配してなる請求項１記載の筆記具のグリップ構造。
【発明の詳細な説明】
【０００１】
【発明の属する技術分野】
この発明は、ボールペン、シャープペンシル等の筆記具のグリップ部分に二重にグリップカバーを設けたグリップ構造に関する。
【０００２】
【従来の技術】
従来、筆記中の筆記者の疲労を軽減するために、ボールペン等の筆記具のグリップ部分にゴムまたは軟質プラスチック等のグリップカバーを被覆したものがグリップ構造として提案されていた。しかしながら、これらのグリップ構造は大部分が軸筒に単に一層のグリップカバーを被覆したものであって、グリップカバーが薄いと軸筒の硬度の影響を受けやすく長時間の筆記による疲労を免れ得なかった。他方、グリップカバーを厚くすると必要以上にグリップ部分の径が大きくなってしまい握りにくく長時間の筆記による疲労を免れ得く、かつ美観上も問題であった。
【０００３】
【発明が解決しようとする課題】
そこで、この発明は、上記のような従来の不都合を解消したものであって、筆記者の指先にフィットして長時間の筆記による疲労を予防して快適な筆記が可能な筆記具のグリップ構造を提供することを目的とする。
【０００４】
さらに、この発明によれば、軸筒との同時成形により硬度の低いグリップカバーも容易に形成することを可能とし、製造を簡単として結果的にコストの安くかつ密着整合性の良い筆記具のグリップ構造を提供することをも目的とする。
【０００５】
またさらに、この発明によれば、グリップカバーを二重構造として上グリップカバーを透明または半透明にして軸筒外周の形状、模様もしくは色彩を外部から目視可能としたので、グリップ部分において立体的デザインを享受できる美観上優れた筆記具のグリップ構造を提供することをも目的とする。
【０００６】
【課題を解決するための手段】
上記目的を達成するために、この発明によれば、筆記具の軸筒とこの軸筒のグリップ部分をカバーする上・下グリップカバーとから構成されてなる筆記具のグリップ構造において、下グリップカバーの硬度は上グリップカバーの硬度と比較して小さくし、かつ少なくとも下グリップカバーと軸筒とを同時成形した筆記具のグリップ構造が提供される。
【０００７】
【発明の実施の形態】
以下、添付図面を用いてこの発明の実施の形態によるグリップ構造について詳述する。
図１〜図３は、この発明の実施の形態１による筆記具のグリップ構造、即ち、ボールペン、シャープペンシル等の筆記具のグリップ部分の構造を示すものである。　図において、軸筒１（一次側）とこの軸筒１の外周の下グリップカバー２（二次側）とは同時成形によって形成される。なお、軸筒１はＡＢＳ樹脂、アクリル樹脂、ポリカーボネート（ＰＣ）、ポリプロピレン（ＰＰ）等の材料からなる。これらは衝撃強さが大きく、耐熱性が大きく、吸水量が小さく、透明性と光学的性質が優秀であるので軸筒には好適である。
【０００８】
他方、下グリップカバー２は軟質樹脂、例えば熱可塑性エラストマー（ＴＰＥ）等を材料としてなる比較的厚い層からなる。具体的には、例えば下グリップカバー２の厚さを２ｍｍ程度とすれば、上グリップカバー３の厚さを１ｍｍ程度に選択すれば良い。
【０００９】
これら軸筒１と下グリップカバー２とは、射出成形、押し出し成形等によって同時成形、いわゆる二色成形によって形成される。例えば、二色押出機を用いて成形する場合は、２本１組の押し出しバレルを備え、２色または２種類の材料を同時に共通のダイから押し出して同時成形することができる。なお、この場合、下グリップカバー２はかなり軟質の材料、即ち、通常は単体での成形が困難とされている程の硬度、即ちばショアーＡ硬度で５度以上で３０度未満のものが良いので、例えばショアーＡ硬度で５度のものを選択して使用できる。このような軟質ものは、通常単体では成形が困難であるが、硬質の軸筒１の材料と共に同時成形されるので、その軟度にかかわらず成形可能となる。
【００１０】
そして、このように同時成形された軸筒１の外周の下グリップカバー２にはこの下グリップカバー２よりも硬質のショアーＡ硬度が３０度以上が良く、具体的には３０度のものを使うことがでる。そして、下グリップカバー２の厚さよりも薄い上グリップカバー３が下グリップカバー２に被嵌される。なお、この上グリップカバー３の材料としてシリコーン、熱可塑性エラストマー等が好適である。これらは、化学的に不活性で、広範囲の温度変化に耐え、電気的絶縁性が大きいという特性を有する。
【００１１】
なお、図３から明らかな通り、軸筒１のグリップ部分の前・後端に環状段部１２を形成しておけば、軸筒１と下グリップカバー２の同時成形時および上グリップカバー３の取り付けに際して密着整合性が良好となる利点がある。また、軸筒１の先具部１１は、軸筒本体と一体である場合を図示したが、軸筒本体と螺合等により取り外し可能に取り付けられるように、軸筒本体と別体であっても良いことは勿論である。
【００１２】
以下、上記発明に実施の形態による筆記具のグリップの製造について説明する。まず、軸筒１と下グリップカバー２とを射出成形等によって同時成形をする。この場合、下グリップカバー２は硬度が極めて低い材料を用いているので、通常は単体としては成形が困難である。しかしながら、この下グリップカバー２は、軸筒１ともに成形できるので問題なく成形をすることができる。なお、この場合、軸筒１のグリップ部分は縮径に形成されているので、その前後端には段部１２が形成され、この段部１２の間の縮径部分に下グリップカバー２が配されるので、密着整合性が良い。
【００１３】
さらに、このように同時成形されたグリップ部分に、別途成形された下グリップカバー２の硬度よりも固い別途成形された上グリップカバー３を被嵌する。なお、この上グリップカバー３も上述した軸筒１のグリップ部分に形成された段部１２間に嵌合により装着される。その結果、軸筒１の他の外周面と面一となり、美観上も好ましいものとなる。
【００１４】
実際に、筆記者がこのようなグリップ構造の筆記具のグリップ部分を握持して筆記する場合、グリップ部分が比較的硬質の上グリップカバー３とかなり軟質の下グリップカバー２との二重構造となっているので、指先が比較的硬質の上グリップカバー３に接触して指先の抵抗による安心感があり、他方で上グリップカバー３を介して軟質の下グリップカバー２の弾力が作用するので長時間筆記しても疲労しないという利点がある。
【００１５】
図４および図５は、この発明の実施の形態２による筆記具のグリップ構造を示し、この場合上グリップカバーは、透明もしくは半透明の材料から形成されている。なお、この場合、下グリップカバー２は不透明のものであっても良い。そして、軸筒１のグリップ部分はその外周に等間隔に長手方向にリブ１３が複数設けられている。この場合、グリップ部分をに握った際に、軸筒１のグリップ部分のリブ１３による凹凸が手に感じてが痛くなるが、この発明では上グリプカバー３を被せることによって痛みが低減され手に握り良くかつリブ１３も透かして立体的に見える利点がある。
【００１６】
即ち、上グリップカバーが透明であるので、図４で点線で示すように軸筒１のリブ１３の輪郭が軸方向の線としてまたリブ１３の上面の色による帯状の模様を外部から目視することができる利点がある。なお、軸筒１のグリップ部分のリブ１３の高さは、このリブ１３の頂面と上グリップ３の内壁面とのギャップに比べて十分長く、例えばリブ１３の高さをギャップの２倍以上にしておくと立体感があり、より効果的な美観が得られる。
【００１７】
図６および図７は、この発明の実施の形態３による筆記具のグリップ構造である。この場合は、軸筒１の横断面はその外周が連続する凹んだ円弧１４の接続部１５をカットして平坦とした構造である。従って、実際には図６で点線で示すような模様が表面に表れる。
【００１８】
図８および図９は、この発明の実施の形態４による筆記具のグリップ構造である。この場合は、軸筒１の横断面はその外周が連続する円弧１６とした構造である。従って、実際には図８で点線で示すような模様が表面に表れる。
【００１９】
図１０および図１１は、この発明の実施の形態５による筆記具のグリップ構造である。この場合は、横断面は軸筒１のその外周が多角形（１２角形）１７である。従って、実際には図１０で点線で示すような模様が表面に表れる。
【００２０】
図１２および図１３は、この発明の実施の形態６による筆記具のグリップ構造である。この場合は、軸筒１の横断面はその外周が３つの弧１８からなり、それらの接続部１９をカットして平坦とした構造である。従って、実際には図１２で点線で示すような模様が表面に表れる。
【００２１】
図１４および図１５は、この発明の実施の形態７による筆記具のグリップ構造である。この場合は、軸筒１の横断面の外形は連続する凹んだ円弧２０とした構造である。従って、実際には図１４で点線で示すような模様が表面に表れる。
【００２２】
図１６および図１７は、この発明の実施の形態８による筆記具のグリップ構造である。この場合は、軸筒１の外周にはいわゆるイボイボ形状を均一の配された突起２１が配された構造である。従って、実際には図１６で点線で示すような模様が表面に表れる。
【００２３】
図１８および図１９は、この発明の実施の形態９による筆記具のグリップ構造である。この場合は、軸筒１の外周には幅方向に等間隔に横リブ２２が形成された構造である。従って、実際には図１８で点線で示すような模様が表面に表れる。
【００２４】
図２０および図２１は、この発明の実施の形態１０による筆記具のグリップ構造である。この場合は、軸筒１の外周面にはアルファベット文字でＡ、Ｂ、Ｃの文字２３がエンボスされている構造である。従って、実際には図２０で点線で示すようなアルファベット文字が表面に表れる。
【００２５】
図２２および図２３は、この発明の実施の形態１１による筆記具のグリップ構造である。この場合は、軸筒１の縦断面は長手方向に連続する凹んだ円弧２４の接続部２５をカットして平坦とした構造である。従って、実際には図２２で点線で示すような模様が表面に表れる。
【００２６】
なお、この発明において、軸筒と下グリップカバーとは、同時成形により成形されるが、射出成形法、押出成形法等の同時成形できる成形方法であればいずれの成形方法であっても良い。また、この発明のグリップ構造は、筆記具ばかりでなく電子画面操作用の電子ペン、棒状化粧品、加工チップを備えたペイントブラシ、宝石工具などにも利用することができる。
【００２７】
【発明の効果】
この発明は、上記した通りの構成であるので、筆記者の指先にフィットして長時間の筆記による疲労を予防して快適な筆記が得られる効果がある。
【００２８】
さらに、この発明によれば、軸筒との同時成形により硬度の低いグリップも容易に形成することを可能とし、かつ製造を簡単として結果的にコストを低減で、密着整合性が良いグリップ構造が得られる効果もある。
【００２９】
この発明によれば、グリップカバーを二重構造として上グリップカバープを透明にして軸筒外周の形状、模様、もしくは色彩、即ち柄、文字、絵などを外部から視覚を通じて目視可能としたので、グリップ部分において立体的デザインを享受でき、美観上優れた効果もある。
【図面の簡単な説明】
【図１】この発明の実施の形態１による筆記具のグリップの部分縦断面図である。
【図２】図１のＡ−Ａ線に沿った横断面図である。
【図３】図１の縦断面図である。
【図４】この発明の実施の形態２による筆記具のグリップの部分縦断面図である。
【図５】図４のＢ−Ｂ線に沿った横断面図である。
【図６】この発明の実施の形態３による筆記具のグリップの部分縦断面図である。
【図７】図６のＣ−Ｃ線に沿った横断面図である。
【図８】この発明の実施の形態４による筆記具のグリップの部分縦断面図である。
【図９】図８のＤ−Ｄ線に沿った横断面図である。
【図１０】この発明の実施の形態５による筆記具のグリップの部分縦断面図である。
【図１１】図１０のＥ−Ｅ線に沿った横断面図である。
【図１２】この発明の実施の形態６による筆記具のグリップの部分縦断面図である。
【図１３】図１２のＦ−Ｆ線に沿った横断面図である。
【図１４】この発明の実施の形態７による筆記具のグリップの部分縦断面図である。
【図１５】図１４のＧ−Ｇ線に沿った横断面図である。
【図１６】この発明の実施の形態８による筆記具のグリップの部分縦断面図である。
【図１７】図１６のＨ−Ｈ線に沿った横断面図である。
【図１８】この発明の実施の形態９による筆記具のグリップの部分縦断面図である。
【図１９】図１８のＩ−Ｉ線に沿った横断面図である。
【図２０】この発明の実施の形態１０による筆記具のグリップの部分縦断面図である。
【図２１】図２０のＪ−Ｊ線に沿った横断面図である。
【図２２】この発明の実施の形態１１による筆記具のグリップの部分縦断面図である。
【図２３】図２２のＫ−Ｋ線に沿った横断面図である。
【符号の説明】
１　軸筒
２　下グリップカバー
３　上グリップカバー
【図１】
2004066560.tif 000003
【図２】
2004066560.tif 000004
【図３】
2004066560.tif 000005
【図４】
2004066560.tif 000006
【図５】
2004066560.tif 000007
【図６】
2004066560.tif 000008
【図７】
2004066560.tif 000009
【図８】
2004066560.tif 000010
【図９】
2004066560.tif 000011
【図１０】
2004066560.tif 000012
【図１１】
2004066560.tif 000013
【図１２】
2004066560.tif 000014
【図１３】
2004066560.tif 000015
【図１４】
2004066560.tif 000016
【図１５】
2004066560.tif 000017
【図１６】
2004066560.tif 000018
【図１７】
2004066560.tif 000019
【図１８】
2004066560.tif 000020
【図１９】
2004066560.tif 000021
【図２０】
2004066560.tif 000022
【図２１】
2004066560.tif 000023
【図２２】
2004066560.tif 000024
【図２３】
2004066560.tif 000025